(57)【要約】【課題】操作者が原稿の読取結果を容易に把握することができるようにする。【解決手段】原稿を置くための原稿載置台と、原稿載置台と対向させて配設され、原稿載置台上に置かれた原稿の画像を読み取る読取部３０とを有する。原稿載置台上に、画像を表示するための表示部が形成される。原稿載置台上に、画像を表示するための表示部が形成されるので、操作者は、読取面を上に向けて不定形の原稿を原稿載置台上に置いた状態で、原稿の読取結果を容易に把握することができる。【選択図】図１
2010074599.tif 000002
【特許請求の範囲】
【請求項１】
（ａ）原稿を置くための原稿載置台と、
（ｂ）該原稿載置台と対向させて配設され、原稿載置台上に置かれた原稿の画像を読み取る読取部とを有するとともに、
（ｃ）前記原稿載置台上に、画像を表示するための表示部が形成されることを特徴とする画像読取部。
【請求項２】
（ａ）前記表示部に表示させるための画像を記録するための記憶部と、
（ｂ）操作者が前記記憶部に記録された所定の画像を選択したときに、選択された画像を前記表示部に表示する表示制御部とを有する請求項１に記載の画像読取部。
【請求項３】
（ａ）前記読取部を備えた開閉部の開閉の状態を検出する開閉検出部と、
（ｂ）前記開閉部が閉じられているときに、前記表示部に読取りパターンを形成する表示制御部とを有する請求項１に記載の画像読取部。
【請求項４】
（ａ）合成用画像を前記表示部に表示する表示制御部と、
（ｂ）前記読取部によって読み取られた原稿の画像と前記合成用画像とを合成する画像処理部とを有する請求項１に記載の画像読取部。
【請求項５】
前記合成用画像は記憶部に記録された画像である請求項４に記載の画像読取部。
【請求項６】
前記合成用画像は読取部によって読み取られた画像である請求項４に記載の画像読取部。
【請求項７】
操作者が表示部に表示された画像における所定の抽出領域を指定したときに、該抽出領域内の画像を抽出する画像抽出部を有する請求項１に記載の画像読取部。
【請求項８】
前記請求項１〜７のいずれか１項に記載の画像読取部が搭載された画像処理装置。
【発明の詳細な説明】
【技術分野】
【０００１】
本発明は、画像読取部及び画像処理装置に関するものである。
【背景技術】
【０００２】
従来、画像を読み取ることができ、読み取った画像を印刷することができる画像処理装置、例えば、複合機においては、原稿を置くための原稿載置台、原稿を読み取るための画像読取部、読み取った画像を形成する画像形成部、表示部等が配設され、該表示部に用紙サイズ、用紙の向き等の印刷情報が表示されるようになっている（例えば、特許文献１参照。）。
【特許文献１】特開２００５−２４４７５５号公報
【発明の開示】
【発明が解決しようとする課題】
【０００３】
しかしながら、前記従来の複合機において、原稿は、読取面を下を向けて原稿載置台に置かれるので、不定形の原稿を読み取る場合、操作者が原稿の読取結果を把握することが困難である。
【０００４】
本発明は、前記従来の複合機の問題点を解決して、操作者が原稿の読取結果を容易に把握することができる画像読取部及び画像処理装置を提供することを目的とする。
【課題を解決するための手段】
【０００５】
そのために、本発明の画像読取部においては、原稿を置くための原稿載置台と、該原稿載置台と対向させて配設され、原稿載置台上に置かれた原稿の画像を読み取る読取部とを有する。
【０００６】
そして、前記原稿載置台上に、画像を表示するための表示部が形成される。
【発明の効果】
【０００７】
本発明によれば、画像読取部においては、原稿を置くための原稿載置台と、該原稿載置台と対向させて配設され、原稿載置台上に置かれた原稿の画像を読み取る読取部とを有する。
【０００８】
そして、前記原稿載置台上に、画像を表示するための表示部が形成される。
【０００９】
この場合、前記原稿載置台上に、画像を表示するための表示部が形成されるので、操作者は、読取面を上に向けて不定形の原稿を原稿載置台上に置いた状態で、原稿の読取結果を容易に把握することができる。
【発明を実施するための最良の形態】
【００１０】
以下、本発明の実施の形態について図面を参照しながら詳細に説明する。この場合、画像処理装置としての複合機について説明する。
【００１１】
図２は本発明の第１の実施の形態における複合機の概略図、図３は本発明の第１の実施の形態における画像読取部の斜視図、図４は本発明の第１の実施の形態における画像読取部の側面図である。
【００１２】
図に示されるように、複合機は、カラーの印刷が可能な画像形成部２０、及び該画像形成部２０の上方に配設された画像読取部１０を備える。
【００１３】
前記画像形成部２０は、イエロー、マゼンタ、シアン及びブラックの４色の現像剤像としてのトナー像をそれぞれ形成する画像形成ユニット２１Ｙ、２１Ｍ、２１Ｃ、２１Ｂｋ、媒体としての用紙Ｐを収容するための媒体収容部としての用紙カセット２２、該用紙カセット２２から前記画像形成ユニット２１Ｙ、２１Ｍ、２１Ｃ、２１Ｂｋに用紙Ｐを供給する給紙機構部ｕ１、用紙Ｐに各トナー像を順次重ねて転写し、カラーのトナー像を形成する転写ユニット２３、用紙Ｐ上に形成されたカラーのトナー像を用紙Ｐに定着させ、カラーの画像を形成する定着装置としての定着器２４、カラーの画像が形成された用紙Ｐを排出する排出ユニットｕ２等を備える。
【００１４】
前記画像形成ユニット２１Ｙ、２１Ｍ、２１Ｃ、２１Ｂｋは、像担持体としての感光体ドラム８１を備え、該感光体ドラム８１の表面に潜像としての静電潜像が形成され、該静電潜像に現像剤としてのトナーが付着させられ、トナー像が形成される。
【００１５】
また、前記転写ユニット２３は、駆動ローラｒ１、従動ローラｒ２、前記駆動ローラｒ１と従動ローラｒ２とによって張設され、駆動ローラｒ１の回転に伴って走行させられる第１の転写部材としての転写ベルト８２、該転写ベルト８２を介して前記各感光体ドラム８１と対向させて配設された第２の転写部材としての転写ローラ８３等を有する。
【００１６】
また、前記画像読取部１０は、原稿Ｑを置くための原稿載置台１１、該原稿載置台１１上に形成され、画像の読取範囲等を表示するための第１の表示部としての液晶表示部１２、該液晶表示部１２を保護するための第１の保護板としてのガラス板１６、前記原稿載置台１１の後方の縁部に形成されたヒンジｈｇによって矢印Ａ方向に揺動自在に支持され、前記原稿載置台１１上に置かれた原稿Ｑを押さえるための開閉部１４、該開閉部１４の下面に、原稿載置台１１と対向させて配設された第２の保護板としてのガラス板１７、前記開閉部１４の下面において、前記原稿載置台１１と対向させて進退自在に配設され、原稿Ｑの表面を、矢印Ｂで示される走査方向に走査して原稿Ｑの画像を読み取る読取部３０、及び操作者が読取りの設定、読取りの開始の指示等を行うための操作装置１３を備える。なお、前記原稿載置台１１におけるヒンジｈｇの近傍において、開閉部１４の開閉の状態を検出する開閉検出部４６が配設される。
【００１７】
前記読取部３０は、光源３１によって原稿載置台１１上の原稿Ｑを照射し、原稿Ｑで反射し、反射部としての鏡面３２、３３で更に反射した光をレンズ３４によって集光し、光電変換素子としてのＣＣＤイメージセンサ３５上に結像させる。該ＣＣＤイメージセンサ３５は、結像に伴って受光した光量に対応させて電圧を発生させ、該電圧を読取データとして出力する。
【００１８】
また、前記操作装置１３は、操作要素としての各種のキー、ボタン等を備え、操作者が操作するための操作部４０、操作者が操作部４０を操作して、読取りの設定、読取りの開始の指示等を行う際に、操作手順、設定内容等を表示し、操作者に通知するための第２の表示部としての操作案内表示部４７等を備え、前記操作部４０は、操作者が読取指示を行う操作要素としてのスタートキー４０ａを備える。
【００１９】
次に、前記構成の複合機の制御装置について説明する。
【００２０】
図１は本発明の第１の実施の形態における複合機の制御ブロック図である。
【００２１】
図において、１０は画像読取部、２０は画像形成部である。前記画像読取部１０は、液晶表示部１２、読取部３０、操作部４０、読取制御部４１、読取画像記憶部４２、画像処理部４３、記憶部４４、表示制御部４５、開閉検出部４６、インタフェース部４８等を備える。前記読取制御部４１、読取画像記憶部４２、画像処理部４３、記憶部４４、表示制御部４５等によって画像読取り用の制御部が構成される。また、画像形成部２０は、データ受信部２６、データ処理部２７、印刷部２８等を備える。そして、データ受信部２６、データ処理部２７等によって画像形成用の制御部が構成される。
【００２２】
次に、前記構成の複合機の動作について説明する。
【００２３】
まず、画像読取部１０の画像読取り時の動作について説明する。
【００２４】
図５は本発明の第１の実施の形態における複合機の画像読取り時の動作を示すフローチャート、図６は本発明の第１の実施の形態における画像読取り時の表示部に表示された画像の例を示す図である。
【００２５】
まず、前記操作装置１３において、操作者が操作部４０を操作して通常コピーモードを選択すると、表示制御部４５は、記憶部４４に記録された画像情報としての画像表示データを読み出し、液晶表示部１２に、例えば、図６に示されるような、用紙Ｐのサイズ（印刷用紙サイズ）ＡＲ１、印刷可能領域ＡＲ２等を画像で表示する。
【００２６】
次に、操作者が操作部４０を操作して、画像の読取範囲表示の指示を送ると、表示制御部４５は、記憶部４４に記録された読取範囲を表す画像表示データを読み出し、液晶表示部１２に原稿Ｑの読取範囲ＡＲ３を画像で表示する。
【００２７】
続いて、表示制御部４５は、開閉検出部４６によって検出された開閉部１４の開閉の状態を読み込み、開閉部１４が閉じられているかどうかを判断し、判断結果に基づいて液晶表示部１２に所定の表示を行う。
【００２８】
例えば、操作者が、原稿載置台１１上に原稿Ｑを置き、開閉部１４を閉じると、表示制御部４５は、開閉部１４が閉じられていると判断し、原稿Ｑの読取精度を向上させるために、液晶表示部１２に読取りパターンを形成し、液晶表示部１２の全面に白色表示を行う。
【００２９】
また、操作者が、操作部４０のスタートキー４０ａを押下して原稿読取を指示すると、表示制御部４５は、開閉部１４が閉じられているかどうかを判断し、開閉部１４が閉じられていると判断すると、読取制御部４１は読取部３０を作動させ、読取処理を行う。このとき、読取部３０は、原稿載置台１１上に置かれた原稿Ｑの表面を走査し、原稿Ｑの画像を読み取る。
【００３０】
前記読取部３０によって読み取られた画像は、画像データとして読取画像記憶部４２に記録され、画像処理部４３は、読取画像記憶部４２から画像データを読み出し、該画像データに対して画像形成処理を行い、画像データを所定の形式の印刷データに変換する。続いて、前記画像処理部４３は、印刷データをインタフェース部４８を介して画像形成部２０に送信する。
【００３１】
該画像形成部２０において、データ受信部２６によって印刷データが受信されると、データ処理部２７は、受信された印刷データに基づいて印刷画像を形成し、印刷部２８は前記印刷画像について印刷処理を行う。
【００３２】
なお、操作者が、スタートキー４０ａを押下して原稿読取を指示したときに、開閉部１４が開かれていると、表示制御部４５は、操作案内表示部４７にエラーメッセージを表示し、開閉部１４を閉じるよう操作者に通知する。
【００３３】
次に、フローチャートについて説明する。
ステップＳ１  通常コピーモードが選択されるのを待機し、通常コピーモードが選択された場合はステップＳ２に進む。
ステップＳ２  読取範囲を表示する。
ステップＳ３  開閉部１４が閉じられているかどうかを判断する。開閉部１４が閉じられている場合はステップＳ４に、開閉部１４が閉じられていない場合はステップＳ９に進む。
ステップＳ４  白色表示を行う。
ステップＳ５  原稿読取が指示されたかどうかを判断する。原稿読取が指示された場合はステップＳ６に進み、原稿読取が指示されなかった場合はステップＳ３に戻る。
ステップＳ６  読取処理を行う。
ステップＳ７  画像形成処理を行う。
ステップＳ８  印刷処理を行い、処理を終了する。
ステップＳ９  原稿読取が指示されたかどうかを判断する。原稿読取が指示された場合はステップＳ１０に進み、原稿読取が指示されなかった場合はステップＳ３に戻る。
ステップＳ１０  エラーメッセージを表示し、ステップＳ３に戻る。
【００３４】
次に、画像読取部１０の合成読取り時の動作について説明する。
【００３５】
図７は本発明の第１の実施の形態における複合機の合成読取り時の動作を示す第１のフローチャート、図８は本発明の第１の実施の形態における複合機の合成読取り時の動作を示す第２のフローチャート、図９は本発明の第１の実施の形態における合成読取り時の表示部に表示された画像の例を示す図である。
【００３６】
まず、操作装置１３において、操作者が操作部４０を操作して合成読取モードを選択すると、表示制御部４５は、操作者に、画像読取部１０によって読み取られた画像を合成用の画像、すなわち、合成用画像Ｅｇ１として選択するか、あらかじめ記憶部４４に記録された画像を合成用画像Ｅｈとして選択するかを問い合わせる。なお、前記合成用画像Ｅｇ１、Ｅｈによって画像情報が構成される。
【００３７】
そして、操作者が、合成用画像Ｅｇ１を選択すると、表示制御部４５は、記憶部４４に記録された所定の画像情報としての画像表示データを読み出し、液晶表示部１２に、例えば、図９に示されるような、用紙Ｐのサイズ（印刷用紙サイズ）ＡＲ１１、印刷可能領域ＡＲ１２等を画像で表示する。
【００３８】
次に、操作者が操作部４０を操作して、画像読取範囲表示の指示を送ると、表示制御部４５は、記憶部４４に記録された読取範囲を表す画像表示データを読み出し、液晶表示部１２に原稿Ｑの読取範囲ＡＲ１３を画像で表示する。
【００３９】
続いて、表示制御部４５は、開閉検出部４６によって検出された開閉部１４の開閉の状態を読み込み、開閉部１４が閉じられているかどうかを判断し、判断結果に基づいて液晶表示部１２に所定の表示を行う。
【００４０】
例えば、操作者が、原稿載置台１１上に原稿Ｑを置き、開閉部１４を閉じると、表示制御部４５は、開閉部１４が閉じられていると判断し、原稿Ｑの読取精度を向上させるために、液晶表示部１２に読取りパターンを形成し、液晶表示部１２の全面に白色表示を行う。
【００４１】
また、操作者が、スタートキー４０ａを押下して原稿読取を指示すると、表示制御部４５は、開閉部１４が閉じられているかどうかを判断し、開閉部１４が閉じられていると判断すると、読取制御部４１は読取部３０を作動させ、読取処理を行う。このとき、読取部３０は、原稿載置台１１上に置かれた原稿Ｑの表面を走査し、原稿Ｑの画像を読み取る。読取部３０によって読み取られた画像は、前記合成用画像Ｅｇ１として記憶部４４に記録される。
【００４２】
続いて、表示制御部４５は、記憶部４４に記録された合成用画像Ｅｇ１を読み出し、図９に示されるように液晶表示部１２に表示する。
【００４３】
そして、操作者が、前記液晶表示部１２に表示された合成用画像Ｅｇ１を見ながら、印刷可能領域ＡＲ１２内の任意の場所に読取範囲ＡＲ１３を配置し、開閉部１４を閉じる。
【００４４】
続いて、表示制御部４５は、開閉検出部４６によって検出された開閉部１４の開閉の状態を読み込み、開閉部１４が閉じられているかどうかを判断し、判断結果に基づいて液晶表示部１２に所定の表示を行う。
【００４５】
例えば、操作者が、原稿載置台１１上に原稿Ｑを置き、開閉部１４を閉じると、表示制御部４５は、開閉部１４が閉じられていると判断し、原稿Ｑの読取精度を向上させるために、液晶表示部１２に読取りパターンを形成し、液晶表示部１２の全面に白色表示を行う。
【００４６】
また、操作者が、スタートキー４０ａを押下して原稿読取を指示すると、表示制御部４５は、開閉部１４が閉じられているかどうかを判断し、開閉部１４が閉じられていると判断すると、読取制御部４１は読取部３０を作動させ、読取処理を行う。このとき、読取部３０は、原稿載置台１１上に置かれた原稿Ｑの表面を走査し、原稿Ｑの画像を読み取る。
【００４７】
続いて、画像処理部４３は、読取部３０によって読み取られた原稿Ｑの画像と前記合成用画像Ｅｇ１とを合成し、合成された画像、すなわち、合成画像を読取画像記憶部４２に記録する。そして、画像処理部４３は、読取画像記憶部４２から合成画像を読み出し、該合成画像に対して画像形成処理を行い、合成画像を所定の形式の印刷データに変換する。続いて、画像処理部４３は、印刷データをインタフェース部４８を介して画像形成部２０に送信する。
【００４８】
該画像形成部２０において、データ受信部２６によって印刷データが受信されると、データ処理部２７は、受信された印刷データに基づいて印刷画像を形成し、印刷部２８は前記印刷画像について印刷処理を行う。
【００４９】
なお、操作者が、スタートキー４０ａを押下して原稿読取を指示したときに、開閉部１４が開かれていると、表示制御部４５は、操作案内表示部４７にエラーメッセージを表示し、開閉部１４を閉じるよう操作者に通知する。
【００５０】
一方、操作者が、あらかじめ記憶部４４に記録された合成用画像Ｅｈを選択すると、表示制御部４５は、記憶部４４から前記合成用画像Ｅｈを読み出し、図９に示される合成用画像Ｅｇ１と同様に合成用画像Ｅｈを液晶表示部１２に表示する。
【００５１】
したがって、画像読取り時と同様に、操作者が、前記液晶表示部１２に表示された合成用画像Ｅｈを見ながら、印刷可能領域ＡＲ１２内の任意の場所に読取範囲ＡＲ１３を配置し、開閉部１４を閉じ、スタートキー４０ａを押下して原稿読取を指示すると、読取制御部４１による読取処理が行われ、画像処理部４３によって、読み取られた原稿Ｑの画像と前記合成用画像Ｅｈとが合成され、合成画像が読取画像記憶部４２に記録される。
【００５２】
なお、記憶部４４に記録された合成用画像Ｅｈを使用する場合、記憶部４４に複数の合成用画像が記録され、操作者は、各合成用画像における所定の合成用画像を選択する。
【００５３】
このように、本実施の形態においては、液晶表示部１２に原稿Ｑの読取範囲ＡＲ３、ＡＲ１３が表示されるので、操作者は、読取面を上に向けて不定形の原稿Ｑを原稿載置台１１上に置いた状態で、原稿Ｑの読取結果を容易に把握することができる。
【００５４】
したがって、操作者が、原稿Ｑの読取位置、向き等を間違えて原稿Ｑを原稿載置台１１上に置くのを防止することができる。
【００５５】
さらに、合成読取りを行う場合においては、読取り前に操作者が容易に合成画像のレイアウトを調整することができる。
【００５６】
次に、フローチャートについて説明する。
ステップＳ１１  合成読取モードが選択されるのを待機し、合成読取モードが選択された場合はステップＳ１２に進む。
ステップＳ１２  読み取られた画像を選択したかどうかを判断する。読み取られた画像を選択した場合はステップＳ１４に、読み取られた画像を選択しない場合はステップＳ１３に進む。
ステップＳ１３  記録された画像を選択する。
ステップＳ１４  読取範囲を表示する。
ステップＳ１５  開閉部１４が閉じられているかどうかを判断する。開閉部１４が閉じられている場合はステップＳ１６に、開閉部１４が閉じられていない場合はステップＳ１９に進む。
ステップＳ１６  白色表示を行う。
ステップＳ１７  原稿読取が指示されたかどうかを判断する。原稿読取が指示された場合はステップＳ１８に進み、原稿読取が指示されなかった場合はステップＳ１５に戻る。
ステップＳ１８  読取処理を行う。
ステップＳ１９  原稿読取が指示されたかどうかを判断する。原稿読取が指示された場合はステップＳ２０に進み、原稿読取が指示されなかった場合はステップＳ１５に戻る。
ステップＳ２０  エラーメッセージを表示し、ステップＳ１５に戻る。
ステップＳ２１  画像を表示する。
ステップＳ２２  開閉部１４が閉じられているかどうかを判断する。開閉部１４が閉じられている場合はステップＳ２３に、開閉部１４が閉じられていない場合はステップＳ２９に進む。
ステップＳ２３  白色表示を行う。
ステップＳ２４  原稿読取が指示されたかどうかを判断する。原稿読取が指示された場合はステップＳ２５に進み、原稿読取が指示されなかった場合はステップＳ２２に戻る。
ステップＳ２５  読取処理を行う。
ステップＳ２６  合成処理を行う。
ステップＳ２７  画像形成処理を行う。
ステップＳ２８  印刷処理を行い、処理を終了する。
ステップＳ２９  原稿読取が指示されたかどうかを判断する。原稿読取が指示された場合はステップＳ３０に進み、原稿読取が指示されなかった場合はステップＳ２２に戻る。
ステップＳ３０  エラーメッセージを表示し、ステップＳ２２に戻る。
【００５７】
次に、本発明の第２の実施の形態について説明する。なお、第１の実施の形態と同じ構造を有するものについては、同じ符号を付与し、同じ構造を有することによる発明の効果については同実施の形態の効果を援用する。
【００５８】
図１０は本発明の第２の実施の形態における複合機の側面図である。
【００５９】
この場合、開閉部１４は、原稿載置台１１の後方の縁部に形成された昇降機構９１によって矢印Ｂ方向に昇降自在に支持される。したがって、書籍等のような厚さを有する原稿Ｑの表面と前記開閉部１４とを平行にすることができるので、原稿Ｑの画像を精度良く読み取ることができる。
【００６０】
次に、読取部３０によって読み取られた画像における所定の抽出したい領域、すなわち、抽出領域の画像だけを抽出することができるようにした本発明の第３の実施の形態について説明する。なお、第１、第２の実施の形態と同じ構造を有するものについては、同じ符号を付与し、同じ構造を有することによる発明の効果については同実施の形態の効果を援用する。
【００６１】
図１１は本発明の第３の実施の形態における操作部の概略図である。
【００６２】
この場合、操作部４０には、操作案内表示部４７、及び読取指示を行う操作要素としてのスタートキー４０ａに加えて、カーソルを選択するための操作要素としてのカーソル選択キー４０ｂ、カーソルを移動させるための操作要素としてのカーソル移動キー４０ｃ等が配設される。
【００６３】
次に、複合機の制御装置について説明する。
【００６４】
図１２は本発明の第３の実施の形態における複合機の制御ブロック図である。
【００６５】
この場合、画像読取部１０には画像抽出部４９が配設され、操作者が操作部４０を操作し、カーソル選択キー４０ｂによって抽出領域を指定するためのカーソルを選択し、カーソル移動キー４０ｃによってカーソルを移動させることによって、読取部３０によって読み取られた画像における指定された前記抽出領域内の画像だけを抽出することができる。
【００６６】
次に、前記構成の複合機の動作について説明する。
【００６７】
図１３は本発明の第３の実施の形態における複合機の画像抽出時の動作を示すフローチャート、図１４は本発明の第３の実施の形態における画像抽出時の表示部に表示された画像の例を示す図である。
【００６８】
まず、操作装置１３において、操作者が操作部４０を操作して領域指定モードを選択すると、表示制御部４５は、図１４に示されるように、液晶表示部１２上にカーソルＡ〜Ｄを表示する。操作者は、操作部４０においてカーソル選択キー４０ｂによってカーソルＡ〜Ｄのうちの移動させたいカーソルを選択し、選択したカーソルをカーソル移動キー４０ｃによって任意の位置に移動させる。これを繰り返し、カーソルＡ〜Ｄを任意の位置に移動させると、印刷可能領域ＡＲ２２内の画像Ｅｇ１１のうちの抽出領域ＡＲ２３を指定することができる。
【００６９】
そして、操作者が、抽出された画像の印刷設定（拡大、縮小、印刷位置等の設定）を行い、開閉部１４を閉じると、表示制御部４５は、開閉部１４が閉じられていると判断し、原稿の読取精度を向上させるために、液晶表示部１２に読取りパターンを形成し、液晶表示部１２の全面に白色表示を行う。
【００７０】
また、操作者が、スタートキー４０ａを押下して原稿読取を指示すると、表示制御部４５は、開閉部１４が閉じられているかどうかを判断し、開閉部１４が閉じられていると判断すると、読取制御部４１は読取部３０を作動させ、読取処理を行う。このとき、前記読取部３０は、原稿載置台１１上に置かれた原稿Ｑの表面を走査し、原稿Ｑの画像を読み取る。
【００７１】
続いて、画像抽出部４９は、画像抽出処理を行い、読取部３０によって読み取られた画像における抽出領域ＡＲ２３内の画像を抽出し、さらに、画像処理を行い、抽出された画像を画像データとして読取画像記憶部４２に記録する。
【００７２】
そして、画像処理部４３は、読取画像記憶部４２から画像データを読み出し、該画像データに対して画像形成処理を行い、画像データを所定の形式の印刷データに変換する。したがって、通常コピーモードと同様の手順で前記抽出領域の画像を抽出し、読み取る。
【００７３】
このようにして、読取りが終了すると、読み取られた画像は、第１の実施の形態と同様に、画像データとして読取画像記憶部４２に記録され、画像処理部４３は、読取画像記憶部４２から画像データを読み出し、該画像データを所定の印刷データに変換し、画像形成部２０に送信し、受信された前記印刷データに基づいて印刷処理を行う。
【００７４】
このように、本実施の形態においては、操作者が、印刷可能領域ＡＲ２２内の画像Ｅｇ１１を見ながら、抽出領域ＡＲ２３を指定することができるので、画像を誤って抽出することがなくなる。
【００７５】
なお、抽出された画像を合成用画像Ｅｇ１、Ｅｈとして使用することができる。
【００７６】
次に、フローチャートについて説明する。
ステップＳ３１  領域指定モードが選択されるのを待機し、領域指定モードが選択された場合はステップＳ３２に進む。
ステップＳ３２  カーソルＡ〜Ｄを選択して移動させる。
ステップＳ３３  抽出領域Ａ２３を指定する。
ステップＳ３４  印刷設定を行う。
ステップＳ３５  開閉部１４が閉じられているかどうかを判断する。開閉部１４が閉じられている場合はステップＳ３６に、開閉部１４が閉じられていない場合はステップＳ４３に進む。
ステップＳ３６  白色表示を行う。
ステップＳ３７  原稿読取が指示されたかどうかを判断する。原稿読取が指示された場合はステップＳ３８に進み、原稿読取が指示されなかった場合はステップＳ３５に戻る。
ステップＳ３８  読取処理を行う。
ステップＳ３９  抽出領域Ａ２３の画像を抽出する。
ステップＳ４０  画像処理を行う。
ステップＳ４１  画像形成処理を行う。
ステップＳ４２  印刷処理を行い、処理を終了する。
ステップＳ４３  原稿読取が指示されたかどうかを判断する。原稿読取が指示された場合はステップＳ４４に進み、原稿読取が指示されなかった場合はステップＳ３５に戻る。
ステップＳ４４  エラーメッセージを表示し、ステップＳ３５に戻る。
【００７７】
次に、本発明の第４の実施の形態について説明する。なお、第１〜第３の実施の形態と同じ構造を有するものについては、同じ符号を付与し、同じ構造を有することによる発明の効果については同実施の形態の効果を援用する。
【００７８】
図１５は本発明の第４の実施の形態における複合機の側面図である。
【００７９】
この場合、操作装置１３に操作案内表示部４７（図３）は配設されず、液晶表示部１２における所定の部分、本実施の形態においては、操作装置１３の近傍において、開閉部１４によって覆われない部分が、操作案内表示部４７として機能するようになっている。
【００８０】
次に、本発明の第５の実施の形態について説明する。なお、第１〜第４の実施の形態と同じ構造を有するものについては、同じ符号を付与し、同じ構造を有することによる発明の効果については同実施の形態の効果を援用する。
【００８１】
図１６は本発明の第５の実施の形態における画像抽出時の表示部に表示された画像の例を示す図である。
【００８２】
この場合、原稿載置台１１に、原稿を置くための原稿載置部１１ａが形成され、該原稿載置面１１ａの周囲に、原稿載置面１１ａを包囲するように表示部としての帯状の画像表示部１１ｂが形成され、該画像表示部１１ｂにカーソルＡ〜Ｄが表示される。
【００８３】
なお、前記各実施の形態においては、画像形成部２０としてカラーの画像を形成する画像形成部について説明したが、白黒の画像を形成する画像形成部に適用することもできる。
【００８４】
また、前記各実施の形態において、複合機は、画像読取部１０及び画像形成部２０を備え、画像読取部１０において読み取られた画像を、画像形成部２０において印刷するようになっているが、画像形成部２０に代えてパソコン、ファクシミリ装置、プロジェクタ等を使用し、画像読取部１０において読み取られた画像をメールで送信したり、ファクシミリ送信したり、スクリーンに投影したりすることができる。
【００８５】
さらに、前記各実施の形態においては、操作者が、原稿載置台１１上に原稿を置き、開閉部１４を閉じると、液晶表示部１２の全面に白色表示が行われるようになっているが、読取りパターンとして、裏写り防止用に、液晶表示部１２の全面に黒色表示を行ったり、用紙Ｐの周縁を検出するための輪郭パターンを表示したり、指定された領域だけに白色表示又は黒色表示を行ったりすることができる。
【００８６】
なお、本発明は前記各実施の形態に限定されるものではなく、本発明の趣旨に基づいて種々変形させることが可能であり、それらを本発明の範囲から排除するものではない。
【図面の簡単な説明】
【００８７】
【図１】本発明の第１の実施の形態における複合機の制御ブロック図である。
【図２】本発明の第１の実施の形態における複合機の概略図である。
【図３】本発明の第１の実施の形態における画像読取部の斜視図である。
【図４】本発明の第１の実施の形態における画像読取部の側面図である。
【図５】本発明の第１の実施の形態における複合機の画像読取り時の動作を示すフローチャートである。
【図６】本発明の第１の実施の形態における画像読取り時の表示部に表示された画像の例を示す図である。
【図７】本発明の第１の実施の形態における複合機の合成読取り時の動作を示す第１のフローチャートである。
【図８】本発明の第１の実施の形態における複合機の合成読取り時の動作を示す第２のフローチャートである。
【図９】本発明の第１の実施の形態における合成読取り時の表示部に表示された画像の例を示す図である。
【図１０】本発明の第２の実施の形態における複合機の側面図である。
【図１１】本発明の第３の実施の形態における操作部の概略図である。
【図１２】本発明の第３の実施の形態における複合機の制御ブロック図である。
【図１３】本発明の第３の実施の形態における複合機の画像抽出時の動作を示すフローチャートである。
【図１４】本発明の第３の実施の形態における画像抽出時の表示部に表示された画像の例を示す図である。
【図１５】本発明の第４の実施の形態における複合機の側面図である。
【図１６】本発明の第５の実施の形態における画像抽出時の表示部に表示された画像の例を示す図である。
【符号の説明】
【００８８】
１０    画像読取部
１１    原稿載置台
１２    液晶表示部
３０    読取部
４７    操作案内表示部
Ｑ    原稿
【図１】
2010074599.tif 000003
【図２】
2010074599.tif 000004
【図３】
2010074599.tif 000005
【図４】
2010074599.tif 000006
【図５】
2010074599.tif 000007
【図６】
2010074599.tif 000008
【図７】
2010074599.tif 000009
【図８】
2010074599.tif 000010
【図９】
2010074599.tif 000011
【図１０】
2010074599.tif 000012
【図１１】
2010074599.tif 000013
【図１２】
2010074599.tif 000014
【図１３】
2010074599.tif 000015
【図１４】
2010074599.tif 000016
【図１５】
2010074599.tif 000017
【図１６】
2010074599.tif 000018